(57)【要約】【課題】ユーザの映像の視聴を妨げずに効果的に焼き付きの防止を実現できる映像表示装置を提供することを目的とする。【解決手段】撮像装置１と、撮像装置１から得た画像中における顔の個数を検出する顔検出装置２と、顔検出装置２より得られた顔検出数を基にディスプレイ制御内容を判定する画面切替判定装置３と、画面切替判定装置３にて出力される情報を基にディスプレイ５を制御するディスプレイ制御装置４と、前記ディスプレイ制御装置４の制御内容を反映した表示を行うディスプレイ５と、を備える映像表示装置１０である。【選択図】図１
2010145443.tif 000002
【特許請求の範囲】
【請求項１】
撮像装置と、撮像装置から得た画像中における顔の個数を検出する顔検出装置と、顔検出装置より得られた顔検出数を基にディスプレイ制御内容を判定する画面切替判定装置と、画面切替判定装置にて出力される情報を基にディスプレイを制御するディスプレイ制御装置と、前記ディスプレイ制御装置の制御内容を反映した表示を行うディスプレイと、を備える映像表示装置。
【発明の詳細な説明】
【技術分野】
【０００１】
本発明は、撮像装置とディスプレイとを備える映像表示装置に関するものである。
【背景技術】
【０００２】
現在、多くの電化製品において、ユーザに様々な情報やコンテンツを提供する手段としてディスプレイが用いられている。ディスプレイとして現在広く用いられているものとして、プラズマディスプレイや、有機ＥＬディスプレイが挙げられる。これらのディスプレイはいずれも、長時間同じ映像を表示させると、その映像がいわゆる焼き付いてしまうという問題がある。
【０００３】
そこでこの焼き付きの問題を解決するために、焼き付き防止用表示を行う方法として、よく知られる方法として、例えば、ユーザが指定した時間になると焼き付き防止用パターンを画面に表示させるということや、デバイスにユーザからの入力が無い状態が一定時間以上継続した時、焼き付き防止用パターンを画面に表示させるといったことや、指定時間になると画面全体をずらすといったことが行われるが、さらに進んだ方法として、センサーでユーザの接近を検知し、接近している場合には映像表示し、接近していない場合には焼き付き防止用パターンを画面に表示させるというように表示内容を切り替えるという技術が開示されている（例えば、特許文献１参照）。
【０００４】
また一方で、撮影制御装置により制御したカメラで、広告メディアの前方を撮像し、撮像された画像をデジタル画像として画像記憶メモリに一旦記憶し、記憶されたデジタル画像から演算装置で人間の顔を抽出し、その抽出された顔から、広告メディアを向いている評価できる顔の評価値を抽出し、評価値を集計し、出力装置で集計結果を出力する技術の開示が見られる（例えば、特許文献２参照）。
【特許文献１】特開平５−１４３０３４号公報
【特許文献２】特開２０００−２０９５７８号公報
【発明の開示】
【発明が解決しようとする課題】
【０００５】
ところで、ユーザが指定した時間になると焼き付き防止用パターンを画面に表示させるという方法では、焼き付き防止用パターンを表示するタイミングは時間でのみ決まり、ユーザの動作に一切関係なく表示され、ユーザがディスプレイを見たいときに見れないといった問題が発生する。
【０００６】
また、デバイスにユーザからの入力が無い状態で一定時間が経過した時になると焼き付き防止用パターンを画面に表示させるというシステムでは、ユーザがデバイスに入力をしなければ、ユーザがディスプレイに表示させる映像を見ていても焼き付き防止用パターンが表示されてしまい、その結果、ユーザは映像を見続けるためには、何らかの入力をデバイスに対して行うことで焼き付き防止用パターンの表示を解除しなければならない。
【０００７】
また、指定時間になると画面全体をずらすシステムは、ユーザがそのズレの変化に気付くことがある。
【０００８】
また、センサーでユーザの接近を検知し表示内容を切り替えるシステムでは、ユーザに気付かれることなく焼き付き防止用パターンを表示できるが、ユーザが接近している限りは焼き付き防止用パターンが表示されないこととなり、その間は焼き付き防止効果が期待出来ない。
【０００９】
本発明はこのような現状に鑑みなされたもので、ユーザの映像の視聴を妨げずに効果的に焼き付きの防止を実現できる映像表示装置を提供することを目的とする。
【課題を解決するための手段】
【００１０】
上記目的を実現するために本発明の映像表示装置は、撮像装置と、撮像装置から得た画像中における顔の個数を検出する顔検出装置と、顔検出装置より得られた顔検出数を基にディスプレイ制御内容を判定する画面切替判定装置と、画面切替判定装置にて出力される情報を基にディスプレイを制御するディスプレイ制御装置と、前記ディスプレイ制御装置の制御内容を反映した表示を行うディスプレイと、を備えるものである。
【発明の効果】
【００１１】
本発明によれば、ユーザの映像の視聴を妨げずに効果的に焼き付きの防止を実現できる映像表示装置を提供することができる。
【発明を実施するための最良の形態】
【００１２】
以下、本発明の一実施の形態による映像表示装置について、図を用いて説明するが、本発明の実施の態様はこれに限定されるものではない。
【００１３】
図１は、本発明の一実施の形態による映像表示装置の概略構成を示すブロック図である。本発明の一実施の形態による映像表示装置１０は、撮像装置１、顔検出装置２、画面切替判定装置３、ディスプレイ制御装置４、ディスプレイ５を備える。
【００１４】
図２は、本発明の一実施の形態による映像表示装置における、画面切替判定装置３の判定の流れを示すブロック図である。
【００１５】
まず、ディスプレイ５から、ディスプレイの画面に対して正対する対象物を撮像するよう撮像装置１を設置する。そして、撮像装置１で得られた画像を顔検出装置２にて解析し、何人の顔が画像内にあるかを検出する。
【００１６】
そして、検出された顔の数が１個以上の場合、画面切替判定装置３は、ディスプレイ制御装置４に通常表示の出力を要求する。ディスプレイ制御装置４は通常表示の出力要求を受け、ディスプレイ５がブラックアウト中であれば通常表示に切替え、通常表示中であれば表示を継続させる。
【００１７】
一方、検出された顔の数が０個の場合、画面切替判定装置３は、タイマーで０個検出の状態の連続時間を計測し、基準時間と比較する。
【００１８】
そして、０個検出の状態の連続時間が基準時間以上となった場合、画面切替判定装置３は、ディスプレイ制御装置４にブラックアウト要求をする。ディスプレイ制御装置４はブラックアウト要求を受け、ディスプレイ５がブラックアウト中であれば表示を継続させ、通常表示中であればディスプレイ５をブラックアウトさせる。
【００１９】
また、０個検出の状態の連続時間が基準時間に満たない場合、画面切替判定装置３は、ディスプレイ制御装置４に通常表示の出力を要求する。ディスプレイ制御装置４は通常表示の要求を受け、ディスプレイ５がブラックアウト中であれば通常表示に切替え、通常表示中であれば表示を継続させる。
【００２０】
以上によれば、顔検出装置２は、単にユーザがディスプレイ５の前に存在しているか否かの検出ではなく、ユーザの「顔」がディスプレイ５の画面に正対しているか否かを検出するものであり、ディスプレイ５の画面に正対している「顔」の数、すなわちディスプレイ５の画面を見ているユーザの数を検出し、その検出の結果に基づき、焼き付きの防止のための動作の起動・解除を行っていることから、焼き付き防止の動作の精度の向上が可能となり、もって、ユーザの映像の視聴を妨げずに効果的に焼き付きの防止を実現できる映像表示装置を提供することが可能となる。
【００２１】
また、焼き付き防止の画面として、ブラックアウトなど、消費電力の小さいパターンとしており、焼き付き防止動作中の消費電力を低減することができる。
【産業上の利用可能性】
【００２２】
以上のように本発明は、プラズマディスプレイや、有機ＥＬディスプレイなど、焼き付きという問題を有する映像表示装置に対し、ユーザの映像の視聴を妨げずに効果的に焼き付きの防止を実現できる映像表示装置を提供する上で有用な発明である。
【図面の簡単な説明】
【００２３】
【図１】本発明の一実施の形態による映像表示装置の概略構成を示すブロック図
【図２】本発明の一実施の形態による映像表示装置における、画面切替判定装置の判定の流れを示すブロック図
【符号の説明】
【００２４】
１  撮像装置
２  顔検出装置
３  画面切替判定装置
４  ディスプレイ制御装置
５  ディスプレイ
１０  映像表示装置
【図１】
2010145443.tif 000003
【図２】
2010145443.tif 000004